(57)【要約】【課題】カード以外の異物がカード挿入口から入るのを防止できるカード挿入口の蓋体ロック装置を提供する。【解決手段】カード挿入口４に両側面上端部から突き出す軸１ａを中心として開閉自在に取付けられた蓋体１と、蓋体上端の被係合部１ｃと係合して蓋体１の開方向の回動を阻止する左右一対のロック部材２と、突起部３ａが蓋体両側部の開口１ｂから前方へ突き出した状態で蓋体両側部の背後に配設され、突起部３ａをカードの先端で同時に押し込むと左右一対のロック部材２と蓋体上端の被係合部１ｃとの係合が外れて蓋体１のロックを解除できるロック解除部材３と、を具備した蓋体ロック装置とする。カード以外の異物では左右一対のロック解除部材３の突起部３ａを同時に押し込んで蓋体１のロックを解除できないので、異物の混入を防止できる。【選択図】図４
2009265781.tif 000002
【特許請求の範囲】
【請求項１】
カード挿入口に、両側面上端部から突き出す軸を中心として開閉自在に取付けられた蓋体と、
蓋体両側部の上方に配設され、蓋体上端の被係合部と係合して蓋体の開方向の回動を阻止する左右一対のロック部材と、
突起部が蓋体両側部の開口から前方へ突き出した状態で蓋体両側部の背後に配設され、突起部をカードの先端で同時に押し込むと左右一対のロック部材と蓋体上端の被係合部との係合が外れて蓋体のロックを解除できるロック解除部材と、
を具備したことを特徴とするカード挿入口の蓋体ロック装置。
【請求項２】
ロック部材がその後端部で上下回動自在に軸支され、ロック部材の先端に蓋体上端の被係合部に上方から係合する係合爪部が形成されていることを特徴とする請求項１に記載の蓋体ロック装置。
【請求項３】
ロック解除部材の上端部が蓋体の軸で回動自在に軸支されていることを特徴とする請求項１又は請求項２に記載の蓋体ロック装置。
【請求項４】
ロック解除部材の背面の一部が、ロック解除部材の突起部を押し込んでロック解除部材を後方へ回動させたときにロック部材を押し上げて上向きに回動させるカム面に形成されていることを特徴とする請求項２又は請求項３に記載の蓋体ロック装置。
【発明の詳細な説明】
【技術分野】
【０００１】
本発明は、ＰＣカードなどのカードを挿入するカード挿入口の蓋体ロック装置に関し、特に、カード以外のものでは蓋体が開かないようにロックすることができる蓋体ロック装置に関する。
【背景技術】
【０００２】
パソコンをはじめとする情報処理装置や各種電子機器には、ＰＣカードその他のカードを挿入するカード挿入口を設け、このカード挿入口からスロット内にＰＣカード等を挿入すると、スロット内のコネクタを介して電気的に接続されて直ち使用できるようにしたものが多い。このカード挿入口には、通常、塵埃などの侵入を防止するために蓋体が取付けられている。
【０００３】
このようなカード挿入口に取付けられる蓋体のロック装置として、パソコンの電源投入による機能状態で、カード挿入口からスロットにＰＣカードが挿入されると、その覆蓋状態の検知によってロック装置のソレノイドが駆動し、ロックピンがソレノイドから突出して蓋部材のピン孔に係合し、蓋部材がロック状態となって挿入口からカードを引き抜くことができないようにしたカードロック装置が知られている（特許文献１）。
【０００４】
また、メモリカードを装置本体のカード挿入口からガイド部のガイドフレームに沿って挿入した後、カードカバーを水平状態にして押し込み、ロックレバーを用いてカードカバーを閉鎖状態に保持することにより、メモリカードがメモリカードコネクタから外れることを防止したものも知られている（特許文献２）。
【０００５】
更に、ＩＣカード蓋を装置本体に装着してロックスイッチをＬＯＣＫ側にスライドすると、ＩＣカード蓋につまみが引っ掛かってＩＣカード蓋が閉じられたまま固定され、このときロックスイッチはＯＮ状態になってＩＣカードを取り外すことができず、ロックスイッチをＵＮＬＯＣＫ側にスライドすると、ロックスイッチがＯＦＦ状態となってＩＣカード取り外すことができるようにしたロック装置も知られている（特許文献３）。
【特許文献１】特開平８−２１１９７７号公報
【特許文献２】特開平１０−８３４３５号公報
【特許文献３】実用新案登録第３０３７１０８号公報
【発明の開示】
【発明が解決しようとする課題】
【０００６】
しかしながら、上記の特許文献１〜３のロック装置はいずれも、カード挿入口に挿入したカードを勝手に取り出すことができないようにカード挿入口の蓋体やカード自体をロックするものであり、カード以外のものをカード挿入口からスロットに挿入しようとしたときに、蓋体が開かないようにロックするものではない。そのため、これらのロック装置では、カード以外のコインなどの異物がカード挿入口からスロット内に入る心配があった。
【０００７】
本発明は上記の事情の下になされたもので、その解決しようとする課題は、カードを挿入するときには自動的に蓋体のロックが解除されるけれども、カード以外のものでは蓋体のロックが解除されないため、カード以外の異物が入るのを防止することができるカード挿入口の蓋体ロック装置を提供することにある。
【課題を解決するための手段】
【０００８】
上記課題を解決するため、本発明に係るカード挿入口の蓋体ロック装置は、
カード挿入口に、両側面上端部から突き出す軸を中心として開閉自在に取付けられた蓋体と、
蓋体両側部の上方に配設され、蓋体上端の被係合部と係合して蓋体の開方向の回動を阻止する左右一対のロック部材と、
突起部が蓋体両側部の開口から前方へ突き出した状態で蓋体両側部の背後に配設され、突起部をカードの先端で同時に押し込むと左右一対のロック部材と蓋体上端の被係合部との係合が外れて蓋体のロックを解除できるロック解除部材と、
を具備したことを特徴とするものである。
【０００９】
本発明の蓋体ロック装置においては、ロック部材がその後端部で上下回動自在に軸支され、ロック部材の先端に蓋体上端の被係合部に上方から係合する係合爪部が形成されていることが好ましい。
【００１０】
そして、ロック解除部材の上端部は蓋体の軸で回動自在に軸支されていることが好ましく、また、ロック解除部材の背面の一部が、ロック解除部材の突起部を押し込んでロック解除部材を後方へ回動させたときにロック部材を押し上げて上向きに回動させるカム面に形成されていることが好ましい。
【発明の効果】
【００１１】
本発明のカード挿入口の蓋体ロック装置は、カード挿入口にカードを挿入していないときには、左右一対のロック部材が蓋体上端の被係合部と係合し、蓋体の開方向の回動が阻止されて蓋体はロック状態となっている。そして、蓋体両側部の開口から前方へ突き出す左右一対のロック解除部材の突起部をカードの先端で同時に押し込みながらカードを挿入すると、左右一対のロック部材と蓋体上端の被係合部との係合が外れて蓋体のロックが自動的に解除されるため、カードを挿入することができる。一方、カード以外のコインなどがカード挿入口から入ろうとしても、コインなどでは左右一対のロック解除部材の突起部を同時に押し込んでロック部材による蓋体のロックを解除できないため、コインなどの混入を防止することができる。
【００１２】
本発明の蓋体ロック装置において、ロック部材がその後端部で上下回動自在に軸支され、ロック部材の先端に蓋体上端の被係合部に上方から係合する係合爪部が形成されていると、ロック解除部材でロック部材を押し上げながら上向きに回動させることによって、ロック部材の先端の係合爪部と蓋体上端の被係合部との係合を簡単に外して蓋体のロックを解除することができ、ロック解除部材で押し上げられなくなると、ロック部材が自重で下向きに回動して、先端の係合爪部が蓋体上端の被係合部に上方から係合し、蓋体をロックすることができる。
【００１３】
また、本発明の蓋体ロック装置において、ロック解除部材の上端部が蓋体の軸で回動自在に軸支されていると、上記のように蓋体のロックを自動的に解除してカードをカード挿入口からスロット内に挿入するとき、ロック解除部材が蓋体の軸を中心として蓋体と共に後向きに回動して逃げるため、ロック解除部材がカード挿入の妨げになるのを防止することができる。
【００１４】
そして、ロック解除部材の背面の一部が、ロック解除部材の突起部を押し込んでロック解除部材を後方へ回動させたときにロック部材を押し上げて上向きに回動させるカム面に形成されていると、カム面によってロック部材をスムーズに上向き及び下向きに回動させて、蓋体のロック解除及び蓋体のロックを確実に行うことができる。
【発明を実施するための最良の形態】
【００１５】
以下、図面を参照して本発明の具体的な実施形態を詳述する。
【００１６】
図１は本発明の一実施形態に係るカード挿入口の蓋体ロック装置の正面図、図２は同蓋体ロック装置の平面図、図３は同蓋体ロック装置の側面図、図４は同蓋体ロック装置の分解斜視図、図５は同蓋体ロック装置の動作説明図である。
【００１７】
このカード挿入口の蓋体ロック装置は、図４に示すように、蓋体１と、左右一対のロック部材２，２と、左右一対のロック解除部材３，３とで構成されたものである。
【００１８】
蓋体１は横長の長方形状の合成樹脂板からなるもので、図１に示すように、蓋体１の上辺に沿って金属製の軸１ａが埋設されており、この軸１ａの両端が蓋体１の両側面上端部から左右に突き出している。軸１ａはこの実施形態のような金属製のものに限定されるものではなく、例えば、蓋体１と同じ合成樹脂で蓋体１の両側面上端部から左右に突き出すように一体に成形されたものでもよい。
【００１９】
この蓋体１はカード挿入口４の後側に配置され、蓋体１の両側面上端部から左右に突き出す軸１ａをカード挿入口４の左右両側に形成された軸受部（不図示）に保持させることによって、該軸１ａを中心として開閉方向（前後方向）に回動自在に取付けられている。
【００２０】
この蓋体１の左右両側部には、後述するロック解除部材３の突起部３ａを前方へ突出させる左右一対の開口１ｂ，１ｂが形成されており、また、蓋体１の左右両側部の上端には、後述するロック部材２の係合爪部２ａを係合させる被係合部１ｃ，１ｃが突設されている。
【００２１】
ロック部材２，２は蓋体両側部の上方に配設され、その後端部の軸２ｂ，２ｂを軸受部（不図示）に支持させて上下回動自在に軸支されている。このロック部材２，２の先端には、蓋体１上端の被係合部１ｃ，１ｃに上方から係合する係合爪部２ａ，２ａが下向きに突設されており、カードを挿入しないときには、図３，図５の（ａ）に示すように、係合爪部２ａが被係合部１ｃに係合して、蓋体１が開方向（後向き）に回動するのを阻止し、蓋体１をロックできるようになっている。そして、ロック部材２，２が後端部の軸２ｂ，２ｂを中心として上向きに回動すると、係合爪部２ａ，２ａと被係合部１ｃ，１ｃとの係合が外れて、蓋体１のロックが解除され、その状態からロック部材２，２が下向きに回動すると、係合爪部２ａ，２ａが上方から被係合部１ｃ，１ｃに係合して、再び蓋体１がロックされるようになってる。
【００２２】
また、このロック部材２，２の中間部には、後述するロック解除部材３のカム面３ｂと接触する凸部２ｃ，２ｃが下向きに突設されており、この凸部２ｃ，２ｃの先端の前後エッジ部は、カム面３ｂと滑らかに摺動できるようにアールが設けられている。
【００２３】
ロック解除部材３，３は、図４に示すように、下端から前方へ突き出す突起部３ａ，３ａが形成されており、また、上端部の外側には軸受孔３ｃ，３ｃが形成されている。そして、このロック解除部材３，３は、図１，図２，図３に示すように、突起部３ａ，３ａが蓋体１の左右の開口１ｂ，１ｂから前方へ突き出した状態で蓋体１の両側部の背後に配置され、軸受孔３ｃ，３ｃを蓋体１の軸１ａの両端部に通すことによって回動自在に取付けられている。
【００２４】
このロック解除部材３，３の背面の一部は、図３，図４に示すように、丸みをもって略「く」字状に曲がるカム面３ｂに形成されており、このカム面３ｂがロック部材２の前記凸部２ｃに斜め下方から当接している。
【００２５】
以上のような構成の蓋体ロック装置の動作について、図５を参照しながら説明する。
【００２６】
先ず、カードＣが挿入される前は、図５の（ａ）に示すように、蓋体１が軸１ａから垂下した状態で閉じており、ロック部材２の係合爪部２ａが蓋体１上端の被係合部１ｃに上方から係合して、蓋体１が開方向（後向き）に回動して開かない状態となっている。この状態では、ロック解除部材３の突起部３ａが蓋体１の開口から前方へ突き出し、ロック解除部材３のカム面３ｂがロック部材２の凸部２ｃに斜め下方から当接している。
【００２７】
そして、図５の（ｂ）に示すようにカードＣをカード挿入口４に挿入しようとすると、カードＣの先端でロック解除部材３の突起部３ａが押し込まれてロック解除部材３が軸１ａを中心に後向きに回動し、ロック解除部材３のカム面３ｂでロック部材２の凸部２ｃが押し上げられて、ロック部材２が後端部の軸２ｂを中心に上向きに回動し、ロック部材２の係合爪部２ａと蓋体１上端の被係合部１ｃとの係合が外れて蓋体１のロックが解除される。
【００２８】
従って、図５の（ｃ）に示すように、カードＣをカード挿入口４から更に奥のスロット４ａへ挿入すると、蓋体１が軸１ａを中心に開方向（後向き）に略９０°回動すると共に、ロック解除部材３も蓋体１と共に軸１ａを中心に後向きに略９０°回動し、ロック部材２はロック解除部材３のカム面３ｂにより上向きに回動した状態で停止する。
【００２９】
そして、カードＣを抜き取ると、蓋体１とロック解除部材３が自重で閉方向（前向き）に回動し、それに伴ってロック部材２が自重で下向きに回動して、係合爪部２ａが上方から蓋体１上端の被係合部１ｃに係合し、図５の（ａ）に示すロック状態に戻る。
【００３０】
カードＣを挿入する場合は、カードＣの先端で左右のロック解除部材３，３の突起部３ａ，３ａを同時に押し込んで、左右のロック部材２，２の係合爪部２ａ，２ａと蓋体１上端の被係合部１ｃ，１ｃとの係合を同時に外すため、上記のように蓋体１のロックが解除されるが、カード以外の例えばコインなどがカード挿入口４から入ろうとする場合は、片方のロック解除部材３の突起部３ａがコインなどによって押し込まれたとしても、他方のロック解除部材３の突起部３ａまで同時に押し込まれることはないので、他方のロック部材２の係合爪部２ａと蓋体１上端の片方の被係合部１ｃとの係合が外れることはない。従って、蓋体１のロックは解除されないので、カード以外のコインなどがカード挿入口４から混入するのを十分防止することができる。
【００３１】
以上から理解できるように、本発明の蓋体ロック装置は、カードを挿入するときには自動的に蓋体のロックが解除されるけれども、カード以外のものでは蓋体のロックが解除されないため、カード以外の異物が混入するのを防止することができるといった優れた効果を奏するものである。
【図面の簡単な説明】
【００３２】
【図１】本発明の一実施形態に係るカード挿入口の蓋体ロック装置の正面図である。
【図２】同蓋体ロック装置の平面図である。
【図３】同蓋体ロック装置の側面図である。
【図４】同蓋体ロック装置の分解斜視図である。
【図５】同蓋体ロック装置の動作説明図である。
【符号の説明】
【００３３】
１    蓋体
１ａ  蓋体の軸
１ｂ  開口
１ｃ  被係合部
２    ロック部材
２ａ  係合爪部
２ｂ  軸
２ｃ  凸部
３    ロック解除部材
３ａ  突起部
３ｂ  カム面
３ｃ  軸受孔
４    カード挿入口
４ａ  スロット
Ｃ    カード
【図１】
2009265781.tif 000003
【図２】
2009265781.tif 000004
【図３】
2009265781.tif 000005
【図４】
2009265781.tif 000006
【図５】
2009265781.tif 000007